【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
軸と、組織内に軸方向に第１の貫通位置を通って前進するよう構成された第１の端部とを画定する、第１の脚部；
軸と、組織内に第１の貫通位置を通る前記第１の脚部の前進と同時に第２の貫通位置を通って軸方向に前進するよう構成された第２の端部とを画定する、第２の細長脚部であって、前記第１及び第２の脚部の軸は脚部平面を画定する、第２の細長い脚部；並びに
ベース表面に沿って延在して前記脚部を支持するベースであって、前記ベースは前記脚部表面から突出する屈曲部を有し、前記ベースは、前記脚部を前進させ、デバイスの設置はクリップの設置の前に組織の近接をそのまま維持するように、そして前記脚部が前記ベース表面を組織の表面に沿って維持できるように、前記貫通位置を通る前記第１の脚部と前記第２の貫通位置を通る前記第２の脚部が前進する間に変形するように構成されているベースを備えた、外科的組織固定のためのデバイス。
【請求項２】
前記ベースは、前記第１の脚部に隣接する第１のベース軸を有する第１のベース部分、前記第２の脚部に隣接する第２のベース軸を有する第２のベース部分、及び前記第１のベース部分と前記第２のベース部分との間に配置された中央ベース軸を有する１つ以上の中央ベース部分を有する、細長い本体を備え、
前記屈曲部は、少なくとも部分的に前記中央ベース部分に沿って配置され、
前記第１のベース軸、前記第２のベース軸及び前記中央ベース軸は前記ベース表面に沿って延在している、請求項１に記載のデバイス。
【請求項３】
前記組織は、球形に湾曲した眼の組織を含み、
前記ベースは、前記第１のベース軸、前記第２のベース軸及び前記中央ベース軸が前記脚部平面において見た場合に前記組織の表面に沿って湾曲し、前記脚部平面に対して垂直に見た場合に前記組織の表面に沿って湾曲するように、球形に屈曲している、請求項２に記載のデバイス。
【請求項４】
前記ベースは前記脚部の間に第１及び第２の屈曲部を有し、
前記第１の屈曲部は前記脚部平面の第１の側部から延在し、
前記第２の屈曲部は前記脚部平面の、前記第１の側部と対向する第２の側部から延在している、請求項２に記載のデバイス。
【請求項５】
前記組織は眼の組織を含み、
前記組織の表面は、眼の前方可視表面を含むか又はこれに隣接して配置され、これにより、前記脚部が前記組織の表面を貫通して、前記眼の後方に向かって前進することができ、
前記眼の前記前方可視表面は眼の色を有し、
前記ベース部分は前記眼の色に十分対応できる色を有し、締結器具をカモフラージュすることができる、請求項１に記載のデバイス。
【請求項６】
前記脚部は概ね直線であり、また前記脚部は、前記第１及び第２の脚部の第１及び第２の組織経路がそれぞれ概ね直線で、かつ前記組織の表面と対向する傾斜角を形成するように、前記組織内を前進し、
前記ベースは、前記屈曲部の角度を変化させることによって、前記第１の脚部と前記第２の脚部との間の間隔を変化させるように構成され、前記ベースの少なくとも一部は、前記脚部の弾性的な前進中又は前進後に塑性変形されるよう構成され、これによって前記締結器具による前記組織の固定を増強することを特徴とする請求項１に記載のデバイス。
【請求項７】
前記脚部は、前記第１及び第２の脚部が、弧部セグメントに沿って延在する第１及び第２の組織経路を形成するよう構成されるように湾曲し、
前記ベースは、前記第１のベース部分の軸の周りでの前記第１の脚部の回転、及び前記第２のベース部分の軸の周りでの第２の脚部の回転を発生させるよう変形するように構成されている、請求項１に記載のデバイス。
【請求項８】
前記ベースは前記脚部の前進中又は前進後に塑性変形するよう構成されている、請求項１に記載のデバイス。
【請求項９】
前記ベースは設置準備構成及び解放構成を有し、
前記設置準備構成は、前記ベースを解放することによって、前記ベースが前記脚部を付勢して前記組織内を前進させるようにすることができるように偏向され、
前記解放するための構成は、前記ベースと前記組織の表面との間の係合を維持するように偏向されている、請求項１に記載のデバイス。
【請求項１０】
前記組織は眼の虹彩を含むか又はこれを支持し、
シャフトを有しかつ前記締結器具を解放可能に支持するツールを備え、
前記脚部は前記シャフトに対して横断方向に配向され、また前記脚部は、設置ツールが挿入位置から眼の視野を横切って、前記脚部が貫通することになる前記組織の設置位置まで前進することによって設置されるよう配向されている、請求項１に記載のデバイス。
【請求項１１】
前記締結器具を解放可能に支持する設置ツールを更に備え、
前記設置ツールは：
近位端及び遠位端を有し、前記近位端と前記遠位端との間に軸を有する、シャフト；
前記遠位端に隣接して配置され、第１の把持表面を有する、第１の把持要素；  前記遠位端に隣接して配置され、第２の把持表面を有する、第２の把持要素であって、前記第２の把持表面は第１の構成と第２の構成との間で可動であり、前記把持要素は、前記第２の把持表面が前記第１の構成であるときにそれらの間に前記締結器具を捕捉及び／又は把持するように構成されている、第２の把持要素；並びに
前記シャフトの前記近位端に隣接して配置されるハンドルであって、前記ハンドルの運動は、前記第１の構成から前記第２の構成への前記第２の把持表面の移動を引き起こすことができ、これによって、前記脚部が前記組織の表面の標的設置位置と整列している場合に、前記脚部の前記組織内での前進及び前記締結器具の解放が引き起こされる、ハンドルを有する、請求項１に記載のデバイス。
【請求項１２】
眼の組織固定のためのデバイスであって、
前記第１の端部を有する第１の脚部は、眼の組織の表面を貫通するよう、かつ前記眼の前記組織の表面の下にある組織内を第１の経路に沿って前進するよう構成され、
第２の端部を有する第２の脚部は、前記眼の前記組織の表面を貫通するよう、かつ前記組織内を第２の経路に沿って前進するよう構成され、前記第１及び第２の経路は前記組織の表面と対向する傾斜角を形成し、これにより前記第１及び第２の経路は前記脚部平面に沿って延在し、前記経路は、前記貫通位置の間の間隔とは異なる経路間隔を有し、並びに
前記ベースは、前記経路に沿って前記脚部が抜けてしまうのを阻止できるよう第１の構成から第２の構成への再構成可能な形状記憶材料を含むことを特徴とする請求項１に記載のデバイス。
【請求項１３】
眼の可視表面を含むか又はこれに隣接する眼の組織の表面を有する眼の組織に、眼の外科的組織を固定するための締結器具であって、
前記眼の前記組織の表面を貫通するよう、かつ前記眼の前記組織内で前進するように構成された第１の端部を有する外科的締結器具；並びに
前記第１の端部の近傍に延在する本体であって、前記眼の前記可視表面に沿って前記締結器具の前記本体を支持するための変形可能な金属を含む、本体を備え、
前記眼の前記可視表面は眼の色を有し、前記締結器具の前記本体は眼の色に十分対応できる色を有し、前記締結器具をカモフラージュすることができる、締結器具。
【請求項１４】
前記組織は強膜組織を含み、
前記眼の色は前記金属上の白色層を含む、請求項１３に記載の締結器具。
【請求項１５】
前記組織は前記眼の虹彩を含み、
前記締結器具の前記色が前記眼の前記虹彩の色に適合するよう様々な色を有する、代替として選択できる複数の前記締結器具を更に含む、請求項１３に記載の締結器具。
【請求項１６】
近位端及び遠位端を有し、前記近位端と前記遠位端との間にシャフトが延在する、ツールであって、前記遠位端及び隣接する前記シャフトは、前記眼の最小限に侵襲的な挿入位置に挿入するために構成され、また前記挿入位置から前記眼の視野を横切って設置位置へと前進するように構成されている、ツール；及び
前記シャフトの前記遠位端に隣接して設置可能に支持される締結器具であって、組織貫通端部を有する脚部を有し、前記脚部は、前記ツールを挿入したときに前記虹彩の前記設置位置へと前進できるように、前記シャフトを横切って配向されている、締結器具を備える、眼科用デバイスを眼の虹彩に付着させるためのシステム。
【請求項１７】
前記締結器具の前記色が前記眼の前記虹彩の色に適合するよう様々な色を有する、代替として選択できる複数の前記締結器具を更に含む、請求項１６に記載のシステム。
【請求項１８】
通常は閉状態の弾性又は形状記憶合金からなるクリップを設置するための器具であって、
外側ドライバを用いて前記クリップをそのガイドから押し出し、前記ガイドは前記クリップを、前記ドライバの軸を横断して前記クリップが設置されるよう配向する、器具。